(57)【要約】【課題】ヘッドスライダの位置決め精度の悪化を抑制することができる記憶ディスク駆動装置および記憶ディスク駆動装置用筐体を提供する。【解決手段】記憶ディスク駆動装置１１では、シュラウド面３３は、記憶ディスク１４回りで気流の下流に向かうにつれて記憶ディスク１４の外周端面１４ａから遠ざかる平坦面で構成される。シュラウド面３３はキャリッジ１６よりも記憶ディスク１４回りで気流の上流側に配置される。その結果、記憶ディスク１４の表面で生成される気流は、シュラウド面３３の働きで記憶ディスク１４から遠ざかる方向に誘導される。例えば気流はキャリッジ１６の支軸１８に向かって誘導される。支軸１８回りのキャリッジ１６の揺動に基づきヘッドスライダ２２が記憶ディスク１４の内周側に位置決めされても、キャリッジ１６の振動は抑制される。ヘッドスライダ２２の位置決め精度の悪化は抑制される。【選択図】図２
2008210488.tif 000002
【特許請求の範囲】
【請求項１】
記憶ディスクと、支軸に揺動自在に支持されて先端でヘッドスライダを支持するキャリッジと、キャリッジよりも記憶ディスク回りで気流の上流側に配置され、記憶ディスクの母線に平行に広がって記憶ディスク回りで気流の下流に向かうにつれて記憶ディスクの外周端面から遠ざかる平坦面で構成されるシュラウド面とを備えることを特徴とする記憶ディスク駆動装置。
【請求項２】
請求項１に記載の記憶ディスク駆動装置において、前記キャリッジは、前記支軸に回転自在に支持されるキャリッジブロック本体と、キャリッジブロック本体から前記支軸に直交する平面に沿って延びるキャリッジアームとを備え、前記シュラウド面はキャリッジブロック本体に向かって延びることを特徴とする記憶ディスク駆動装置。
【請求項３】
請求項１に記載の記憶ディスク駆動装置において、前記シュラウド面は、前記記憶ディスクの回転軸に同軸に規定される仮想円筒面に接する仮想平面内で広がることを特徴とする記憶ディスク駆動装置。
【請求項４】
請求項３に記載の記憶ディスク駆動装置において、前記シュラウド面の上流に配置され、前記記憶ディスクの回転軸に同軸に規定される仮想円筒面内で広がる主シュラウド面をさらに備えることを特徴とする記憶ディスク駆動装置。
【請求項５】
請求項４に記載の記憶ディスク駆動装置において、前記キャリッジに結合されるボイスコイルモータと、前記主シュラウド面に区画され、ボイスコイルモータに向かって延びる通路に接続される流通口とをさらに備えることを特徴とする記憶ディスク駆動装置。
【請求項６】
本体と、本体に規定されて、円筒空間を囲みつつ円筒空間に同軸の仮想円筒面内で広がる主シュラウド面と、主シュラウド面に連続しつつ仮想円筒面の中心軸に平行に広がり仮想円筒面に外側から向き合わせられる平坦面で構成されるシュラウド面とを備えることを特徴とする記憶ディスク駆動装置用筐体。
【発明の詳細な説明】
【技術分野】
【０００１】
本発明は、例えばハードディスク駆動装置（ＨＤＤ）といった記憶ディスク駆動装置に関し、特に、記憶ディスクと、記憶ディスクの外周端面に向き合わせられるシュラウドとを備える記憶ディスク駆動装置に関する。
【背景技術】
【０００２】
特許文献２に開示されるように、例えばハードディスク駆動装置（ＨＤＤ）では磁気ディスクの外周端面に一定の間隔でシュラウド面が向き合わせられる。シュラウド面は所定の円筒面に沿って規定される。磁気ディスクの回転中、磁気ディスクの表面に沿って気流が生成される。気流の乱れはシュラウド面の働きで抑制される。磁気ディスクの振動は低減される。
【０００３】
ＨＤＤ内には先端で浮上ヘッドスライダを支持するキャリッジが組み込まれる。キャリッジは、支軸に回転自在に連結されるキャリッジブロック本体を備える。キャリッジブロック本体から支軸に直交する平面に沿ってキャリッジアームが延びる。支軸回りのキャリッジの揺動に基づき浮上ヘッドスライダは磁気ディスク上の目標の記録トラックに位置決めされる。
【特許文献１】特開２００３−８５９４１号公報
【特許文献２】特開２００４−２３４７８４号公報
【特許文献３】特開２００２−１８４１５４号公報
【特許文献４】特開２００２−１０９８４３号公報
【発明の開示】
【発明が解決しようとする課題】
【０００４】
浮上ヘッドスライダが磁気ディスクの外周側から磁気ディスクの回転軸に向かって移動すると、支軸からキャリッジの先端に向かって延びるキャリッジの中心線と気流の流通方向との交差角は増大する。浮上ヘッドスライダが内周側に位置決めされると、キャリッジアームに気流が衝突する。キャリッジアームは振動する。こうした振動は浮上ヘッドスライダの位置決め精度を悪化させる。
【０００５】
本発明は、上記実状に鑑みてなされたもので、ヘッドスライダの位置決め精度の悪化を抑制することができる記憶ディスク駆動装置および記憶ディスク駆動装置用筐体を提供することを目的とする。
【課題を解決するための手段】
【０００６】
上記目的を達成するために、第１発明によれば、記憶ディスクと、支軸に揺動自在に支持されて先端でヘッドスライダを支持するキャリッジと、キャリッジよりも記憶ディスク回りで気流の上流側に配置され、記憶ディスクの母線に平行に広がって記憶ディスク回りで気流の下流に向かうにつれて記憶ディスクの外周端面から遠ざかる平坦面で構成されるシュラウド面とを備えることを特徴とする記憶ディスク駆動装置が提供される。
【０００７】
こうした記憶ディスク駆動装置では、シュラウド面は、記憶ディスク回りで気流の下流に向かうにつれて記憶ディスクの外周端面から遠ざかる平坦面で構成される。シュラウド面はキャリッジよりも記憶ディスク回りで気流の上流側に配置される。その結果、記憶ディスクの表面で生成される気流は、シュラウド面の働きで記憶ディスクから遠ざかる方向に誘導される。例えば気流はキャリッジの支軸に向かって誘導される。支軸回りのキャリッジの揺動に基づきヘッドスライダが記憶ディスクの内周側に位置決めされても、キャリッジの振動は抑制される。ヘッドスライダの位置決め精度の悪化は抑制される。
【０００８】
キャリッジは、支軸に回転自在に支持されるキャリッジブロック本体と、キャリッジブロック本体から支軸に直交する平面に沿って延びるキャリッジアームとを備えればよい。このとき、シュラウド面はキャリッジブロック本体に向かって延びればよい。こうしてシュラウド面の働きで気流はキャリッジブロック本体に向かって誘導される。キャリッジブロック本体は支軸に支持されることから、キャリッジブロック本体に気流が衝突してもキャリッジの振動は抑制される。ヘッドスライダの位置決め精度の悪化は抑制される。
【０００９】
こういった記憶ディスク駆動装置では、シュラウド面は、記憶ディスクの回転軸に同軸に規定される仮想円筒面に接する仮想平面内で広がればよい。このとき、前述と同様に、キャリッジは、支軸に回転自在に支持されるキャリッジブロック本体と、キャリッジブロック本体から支軸に直交する平面に沿って延びるキャリッジアームとを備えればよい。仮想平面はキャリッジブロック本体に交差すればよい。こうして気流はキャリッジブロック本体に向かって誘導される。
【００１０】
記憶ディスク駆動装置は、シュラウド面の上流に配置され、記憶ディスクの回転軸に同軸に規定される仮想円筒面内で広がる主シュラウド面をさらに備えてもよい。こうした主シュラウド面の働きで、記憶ディスクの表面に沿って生成される気流の乱れは抑制される。記憶ディスクの振動は低減される。ヘッドスライダの位置決め精度の悪化は抑制される。このとき、シュラウド面は主シュラウド面に連続してもよい。
【００１１】
以上のような記憶ディスク駆動装置は、キャリッジに結合されるボイスコイルモータと、主シュラウド面に区画され、ボイスコイルモータに向かって延びる通路に接続される流通口とをさらに備えてもよい。こうした記憶ディスク駆動装置では、記憶ディスクの表面で生成された気流は主シュラウド面から流通口に誘導される。誘導された気流は通路内を流通する。その結果、気流はボイスコイルモータまで誘導する。ボイスコイルモータの温度上昇は抑制される。
【００１２】
第２発明によれば、本体と、本体に規定されて、円筒空間を囲みつつ円筒空間に同軸の仮想円筒面内で広がる主シュラウド面と、主シュラウド面に連続しつつ仮想円筒面の中心軸に平行に広がり仮想円筒面に外側から向き合わせられる平坦面で構成されるシュラウド面とを備えることを特徴とする記憶ディスク駆動装置用筐体が提供される。こうした筐体は前述の記憶ディスク駆動装置の実現に大いに貢献する。
【００１３】
こういった記憶ディスク駆動装置用筐体では平坦面は仮想円筒面に接すればよい。その他、主シュラウド面には開口が区画されてもよい。このとき、前述と同様に、平坦面は仮想円筒面に接すればよい。
【発明の効果】
【００１４】
以上のように本発明によれば、ヘッドスライダの位置決め精度の悪化を抑制することができる記憶ディスク駆動装置および記憶ディスク駆動装置用筐体が提供される。
【発明を実施するための最良の形態】
【００１５】
以下、添付図面を参照しつつ本発明の一実施形態を説明する。
【００１６】
図１は本発明の第１実施形態に係る記憶ディスク駆動装置すなわちハードディスク駆動装置（ＨＤＤ）１１の内部構造を概略的に示す。このＨＤＤ１１は筐体すなわちハウジング１２を備える。ハウジング１２は箱形の本体すなわちベース１３およびカバー（図示されず）から構成される。ベース１３は例えば平たい直方体の内部空間すなわち収容空間を区画する。ベース１３は例えばアルミニウムといった金属材料から鋳造に基づき成形されればよい。カバーはベース１３の開口に結合される。カバーとベース１３との間で収容空間は密閉される。カバーは例えばプレス加工に基づき１枚の板材から成形されればよい。
【００１７】
収容空間には、記憶ディスクとしての１枚以上の磁気ディスク１４が収容される。磁気ディスク１４はスピンドルモータ１５の回転軸に装着される。こうして磁気ディスク１４はスピンドルモータ１５の回転中心すなわち回転軸１５ａ回りで回転する。スピンドルモータ１５は例えば３６００ｒｐｍや４２００ｒｐｍ、５４００ｒｐｍ、７２００ｒｐｍ、１００００ｒｐｍ、１５０００ｒｐｍといった高速度で磁気ディスク１４を回転させることができる。
【００１８】
収容空間にはキャリッジ１６がさらに収容される。キャリッジ１６はキャリッジブロック本体１７を備える。キャリッジブロック本体１７は、垂直方向に延びる支軸１８に回転自在に連結される。支軸１８は例えばねじ（図示されず）に基づきベース１３の底板に固定される。キャリッジブロック本体１７には、支軸１８から支軸１８に直交する平面に沿って水平方向に延びる複数のキャリッジアーム１９が区画される。キャリッジブロック本体１７は例えば押し出し成型に基づきアルミニウムから成型されればよい。
【００１９】
個々のキャリッジアーム１９の先端から前方にヘッドサスペンション２１が延びる。ヘッドサスペンション２１の前端にはフレキシャが貼り付けられる。フレキシャ上には浮上ヘッドスライダ２２が支持される。フレキシャに基づき浮上ヘッドスライダ２２はヘッドサスペンション２１に対して姿勢を変化させることができる。浮上ヘッドスライダ２２には磁気ヘッドすなわち電磁変換素子が搭載される。
【００２０】
磁気ディスク１４の回転に基づき磁気ディスク１４の表面で気流が生成されると、気流の働きで浮上ヘッドスライダ２２には正圧すなわち浮力および負圧が作用する。浮力および負圧とヘッドサスペンション２１の押し付け力とが釣り合うことで磁気ディスク１４の回転中に比較的に高い剛性で浮上ヘッドスライダ２２は浮上し続けることができる。
【００２１】
こういった浮上ヘッドスライダ２２の浮上中にキャリッジ１６が支軸１８回りで回転すると、浮上ヘッドスライダ２２は磁気ディスク１４の半径線に沿って移動することができる。その結果、浮上ヘッドスライダ２２上の電磁変換素子は最内周記録トラックと最外周記録トラックとの間でデータゾーンを横切ることができる。こうして浮上ヘッドスライダ２２上の電磁変換素子は目標の記録トラック上に位置決めされる。
【００２２】
キャリッジブロック本体１７には例えばボイスコイルモータ（ＶＣＭ）２３といった動力源が結合される。このＶＣＭ２３の働きでキャリッジブロック本体１７は支軸１８回りで回転することができる。こうしたキャリッジブロック本体１７の回転に基づきキャリッジアーム１９およびヘッドサスペンション２１の揺動は実現される。
【００２３】
図１から明らかなように、キャリッジブロック本体１７上にはフレキシブルプリント基板ユニット２５が配置される。フレキシブルプリント基板ユニット２５は、フレキシブルプリント基板２６に実装されるヘッドＩＣ（集積回路）２７を備える。磁気情報の読み出し時には、このヘッドＩＣ２７から電磁変換素子の読み出しヘッド素子に向けてセンス電流は供給される。同様に、磁気情報の書き込み時には、ヘッドＩＣ２７から電磁変換素子の書き込みヘッド素子に向けて書き込み電流は供給される。ヘッドＩＣ２７には、収容空間内に配置される小型の回路基板２８や、ベース１３の底板の裏側に取り付けられるプリント回路基板（図示されず）からセンス電流や書き込み電流は供給される。こうしたセンス電流や書き込み電流の供給にあたってフレキシブルプリント基板２９が用いられる。フレキシブルプリント基板２９はフレキシブルプリント基板ユニット２５に接続される。
【００２４】
磁気ディスク１４の外側には主シュラウド面３１が規定される。主シュラウド面３１はベース１３に規定される。主シュラウド面３１は、円筒空間を囲みつつ円筒空間に同軸の仮想円筒空間３２内で広がる。仮想円筒面３２の中心軸は磁気ディスク１４の回転軸１５ａに一致する。したがって、主シュラウド面３１は一定の間隔で磁気ディスク１４の外周端面１４ａに向き合わせられる。ここでは、主シュラウド面３１はキャリッジ１６の揺動範囲の下流端から上流端に向かって途切れなく延びる。「上流」および「下流」は磁気ディスク１４の気流の流通方向で規定される。
【００２５】
主シュラウド面３１にはシュラウド面３３が連続する。シュラウド面３３は主シュラウド面３１の下流端に接続される。シュラウド面３３はキャリッジ１６よりも磁気ディスク１４回りで気流の上流側で仮想円筒面３２に外側から向き合わせられる。シュラウド面３３は、磁気ディスク１４回りで気流の下流に向かうにつれて磁気ディスク１４の外周端面１４ａから遠ざかる平坦面で構成される。平坦面は磁気ディスク１４の母線に平行に広がる。同時に、シュラウド面３３は仮想円筒面３２の中心軸に平行に広がる。シュラウド面３３は仮想円筒面３２に接する仮想平面３４内で広がる。仮想平面３４はキャリッジブロック本体１７に交差する。シュラウド面３３はキャリッジブロック本体１７に向かって延びる。
【００２６】
こうしたＨＤＤ１１では、磁気ディスク１４の回転中、磁気ディスク１４の表面に沿って気流が生成される。例えば図２に示されるように、気流は磁気ディスク１４の回転に基づき磁気ディスク１４回りで下流側に向かいつつ磁気ディスク１４の回転軸１５ａから遠ざかる方向に流通する。磁気ディスク１４の外周端面１４ａには一定の間隔で主シュラウド面３１が向き合わせられる。主シュラウド面３１はキャリッジ１６の揺動範囲の下流端から上流端に向かって途切れなく延びる。こういった主シュラウド面３１の働きで気流の乱れは抑制される。磁気ディスク１４の振動は低減される。
【００２７】
シュラウド面３３は主シュラウド面３１の下流端に接続されることから、生成された気流は主シュラウド面３１からシュラウド面３３へと誘導される。シュラウド面３３は磁気ディスク１４回りで気流の下流に向かうにつれて磁気ディスク１４の外周端面１４ａから遠ざかる。その結果、誘導された気流はキャリッジブロック本体１７に向かって流通する。キャリッジブロック本体１７は支軸１８に連結されることから、キャリッジアーム１９に気流が衝突する場合に比べてキャリッジ１６の振動は抑制される。浮上ヘッドスライダ２２の電磁変換素子の位置決め精度の悪化は回避される。電磁変換素子はこれまで以上に正確に記録トラック上に位置決めされる。
【００２８】
その一方で、従来のＨＤＤでは、シュラウド面は、キャリッジの揺動範囲の外側で下流端から上流端まで一定の間隔で磁気ディスクの外周端面に向き合わせられる。浮上ヘッドスライダが磁気ディスクの内周側に位置決めされると、支軸からキャリッジの先端に向かって延びるキャリッジの中心線と気流の流通方向との交差角は増大する。その結果、気流はキャリッジアームに衝突してしまう。キャリッジアームは振動してしまう。浮上ヘッドスライダの位置決め精度は悪化してしまう。したがって、本発明は、浮上ヘッドスライダが磁気ディスクの内周側に位置決めされる場合に特に効果を発揮する。
【００２９】
図３に示されるように、本発明の第２実施形態に係るＨＤＤ１１ａでは、主シュラウド面３１に開口すなわち流通口３６が区画される。主シュラウド面３１は流通口３６で途切れる。流通口３６の下流端は主シュラウド面３１の下流端よりも上流側に規定されればよい。主シュラウド面３１は流通口３６の上流端で案内壁３７に接続される。案内壁３７はベース１３に形成される。案内壁３７にはＶＣＭ２３が向き合わせられる。こうして流通口３６は、ＶＣＭ２３に向かって延びる通路３８に接続される。その他、前述のＨＤＤ１１と均等な構成や構造には同一の参照符号が付される。
【００３０】
こうしたＨＤＤ１１ａでは、磁気ディスク１４の回転に基づき生成された気流は主シュラウド面３１から流通口３６に誘導される。誘導された気流は案内壁３７に沿って流通する。通路３８はＶＣＭ２３まで気流を誘導する。ＶＣＭ２３の温度上昇は抑制される。同時に、シュラウド面３３はキャリッジブロック本体１７に気流を誘導する。キャリッジ１６の振動は抑制される。電磁変換素子の位置決め精度の悪化は回避される。その他、流通口３６は主シュラウド面３１の下流端に区画されてもよい。こうしてシュラウド面３３は円筒空間回りで主シュラウド面３１から離隔して配置されてもよい。
【００３１】
（付記１）  記憶ディスクと、支軸に揺動自在に支持されて先端でヘッドスライダを支持するキャリッジと、キャリッジよりも記憶ディスク回りで気流の上流側に配置され、記憶ディスクの母線に平行に広がって記憶ディスク回りで気流の下流に向かうにつれて記憶ディスクの外周端面から遠ざかる平坦面で構成されるシュラウド面とを備えることを特徴とする記憶ディスク駆動装置。
【００３２】
（付記２）  付記１に記載の記憶ディスク駆動装置において、前記キャリッジは、前記支軸に回転自在に支持されるキャリッジブロック本体と、キャリッジブロック本体から前記支軸に直交する平面に沿って延びるキャリッジアームとを備え、前記シュラウド面はキャリッジブロック本体に向かって延びることを特徴とする記憶ディスク駆動装置。
【００３３】
（付記３）  付記１に記載の記憶ディスク駆動装置において、前記シュラウド面は、前記記憶ディスクの回転軸に同軸に規定される仮想円筒面に接する仮想平面内で広がることを特徴とする記憶ディスク駆動装置。
【００３４】
（付記４）  付記３に記載の記憶ディスク駆動装置において、前記キャリッジは、前記支軸に回転自在に支持されるキャリッジブロック本体と、キャリッジブロック本体から前記支軸に直交する平面に沿って延びるキャリッジアームとを備え、前記仮想平面はキャリッジブロック本体に交差することを特徴とする記憶ディスク駆動装置。
【００３５】
（付記５）  付記３に記載の記憶ディスク駆動装置において、前記シュラウド面の上流に配置され、前記記憶ディスクの回転軸に同軸に規定される仮想円筒面内で広がる主シュラウド面をさらに備えることを特徴とする記憶ディスク駆動装置。
【００３６】
（付記６）  付記５に記載の記憶ディスク駆動装置において、前記シュラウド面は前記主シュラウド面に連続することを特徴とする記憶ディスク駆動装置。
【００３７】
（付記７）  付記５に記載の記憶ディスク駆動装置において、前記キャリッジに結合されるボイスコイルモータと、前記主シュラウド面に区画され、ボイスコイルモータに向かって延びる通路に接続される流通口とをさらに備えることを特徴とする記憶ディスク駆動装置。
【００３８】
（付記８）  本体と、本体に規定されて、円筒空間を囲みつつ円筒空間に同軸の仮想円筒面内で広がる主シュラウド面と、主シュラウド面に連続しつつ仮想円筒面の中心軸に平行に広がり仮想円筒面に外側から向き合わせられる平坦面で構成されるシュラウド面とを備えることを特徴とする記憶ディスク駆動装置用筐体。
【００３９】
（付記９）  付記８に記載の記憶ディスク駆動装置用筐体において、前記平坦面は前記仮想円筒面に接することを特徴とする記憶ディスク駆動装置用筐体。
【００４０】
（付記１０）  付記８に記載の記憶ディスク駆動装置用筐体において、前記主シュラウド面には開口が区画されることを特徴とする記憶ディスク駆動装置用筐体。
【００４１】
（付記１１）  付記１０に記載の記憶ディスク駆動装置用筐体において、前記平坦面は前記仮想円筒面に接することを特徴とする記憶ディスク駆動装置用筐体。
【図面の簡単な説明】
【００４２】
【図１】本発明の第１実施形態に係る記憶ディスク駆動装置すなわちハードディスク駆動装置（ＨＤＤ）の内部構造を概略的に示す平面図である。
【図２】ヘッドスライダが記憶ディスクの内周側に配置される際に気流の流れを示す図である。
【図３】本発明の第２実施形態に係るＨＤＤの内部構造を概略的に示す平面図である。
【符号の説明】
【００４３】
１１  記憶ディスク駆動装置（ハードディスク駆動装置）、１３  記憶ディスク駆動装置用筐体（ベース）、１４  記憶ディスク（磁気ディスク）、１４ａ  外周端面、１５ａ  回転軸、１６  キャリッジ、１７  キャリッジブロック本体、１８  支軸、１９  キャリッジアーム、２２  ヘッドスライダ（浮上ヘッドスライダ）、２３  ボイスコイルモータ、３１  主シュラウド面、３２  仮想円筒面、３３  シュラウド面、３４  仮想平面、３６  流通口・開口、３８  通路。
【図１】
2008210488.tif 000003
【図２】
2008210488.tif 000004
【図３】
2008210488.tif 000005